(57)【要約】      （修正有）【課題】窓のカーテンに防犯警報装置を取り付けた防犯用カーテンを得る。【解決手段】複数枚のカーテンＸに、それぞれの両側の上下二個所に接続片Ａ．Ｂ．Ｙまたは面接着テープなどを取り付け、これらの接続片または面接着テープなどには、もう一方の接続片または面接着テープなどがそれぞれ相対しており、接続片または面接着テープなどは相互に近づけると接触して通電し、引き離すと電流が遮断されるように構成され、断線検知装置Ｒは音源装置Ｔを通してスピーカーＰに接続され、電流が流れた状態において、接続している各接続片または面接着テープなどの一個所において、電流が遮断されると、断線検知装置が作動して音源装置が働き、スピーカーから警報音が出るようにした防犯警報装置を取り付けた防犯用カーテン。【選択図】図１
0003117882.tif 000002
【実用新案登録請求の範囲】
【請求項１】
カーテン（Ｘ１），（Ｘ２）に、それぞれの両側の上下二個所に接続片（Ａ１），（Ｂ１）と接続片（Ａ２），（Ｂ２）、および接続片（Ａ３），（Ｂ３）と接続片（Ａ４），（Ｂ４）を取り付け、それらの接続片（Ａ１）と接続片（Ａ２）、接続片（Ｂ１）と接続片（Ｂ２）、接続片（Ａ３）と接続片（Ａ４）、接続片（Ｂ３）と接続片（Ｂ４）はそれぞれ電線（ｅ）によって接続されており、接続片（Ａ３）、接続片（Ｂ２）にはそれぞれ接続片（Ａ３），（Ｂ３）が相対しており、接続片（Ａ１），（Ｂ１）には接続片（Ｙ１），（Ｙ２）が、接続片（Ａ４），（Ｂ４）には接続片（Ｚ１），（Ｚ２）がそれぞれ相対しており、接続片（Ｙ１），（Ｙ２）は断線検知装置（Ｒ）に接続され、接続片（Ｚ１），（Ｚ２）は相互に電線（ｅ）によって接続され、これら相対する各接続片は一方が磁石片で他方が鉄片の組み合わせで構成され、相互に近づけると吸着して通電し、引き離すと電流が遮断されるように構成され、さらに断線検知装置（Ｒ）は音源装置（Ｔ）を通してスピーカー（Ｐ）に接続され、電流が流れた状態において、接続している各接続片の一個所において、電流が遮断されると、断線検知装置（Ｒ）が作動して音源装置（Ｔ）が働き、スピーカー（Ｐ）から警報音が出るようにした防犯警報装置を取り付けることを特徴とする防犯用カーテン。
【請求項２】
カーテン（Ｘ３），（Ｘ４）のそれぞれの両側に、電線（ｅ）によって接続された鉄片（Ａ５），（Ａ６）と鉄片（Ｂ５），（Ｂ６）、および鉄片（Ａ７），（Ａ８）と鉄片（Ｂ７），（Ｂ８）が上下に取り付けられており、さらにこれらの間にそれぞれ面接着テープ（ｍ２），（ｍ３）と、面接着テープ（ｍ４），（ｍ５）が取り付けられており、中央部の面接着テープ（ｍ３），（ｍ４）を接合すると、鉄片（Ａ６），（Ａ７）および鉄片（Ｂ６），（Ｂ７）がそれぞれ接触して通電するようにし、さらにカーテン（Ｘ３）の右端に取り付けられた接続片（Ａ５），（Ｂ５）には、相対する鉄製の接続片（Ｙ３），（Ｙ４）を取り付け、カーテン（Ｘ４）の左端の接続片（Ａ８），（Ｂ８）には、相対する鉄製の接続片（Ｚ３），（Ｚ４）を取り付け、またこれら接続片の間には面接着テープ（ｍ２）には面接着テープ（ｍ１）を、面接着テープ（ｍ５）には面接着テープ（ｍ６）がそれぞれ相対して取り付け、これらの相対する面接着テープを接合すると、鉄片（Ａ５），（Ｙ３）および鉄片（Ｂ５），（Ｙ４）、さらに鉄片（Ａ８），（Ｚ３）および鉄片（Ｂ８），（Ｚ４）が接触して通電し、これらの面接着テープを引き離すと鉄片も引き離され断線状態となるように構成され、接続片（Ｙ３），（Ｙ４）は電線（ｅ”）によって断線検知装置（Ｒ）を経由して音源装置（Ｔ）に接続され、また接続片（Ｚ３），（Ｚ４）も電線（ｅ’）によって接続されている防犯警報装置を取り付けたことを特徴とする防犯用カーテン。
【請求項３】
接続片（Ｙ１）〜（Ｙ４）、接続片（Ｚ１）〜（Ｚ４）は、絶縁性のプラスチック板に取り付けられていることを特徴とする請求項１および請求項２のいずれかに記載の防犯用カーテン。
【請求項４】
カーテン（Ｘ５），（Ｘ６）の両側に、それぞれ面接着テープ（ｍ２），（ｍ３）と、面接着テープ（ｍ４），（ｍ５）を取り付け、その下方に接続片（Ｋ２），（Ｋ３）および接続片（Ｋ４），（Ｋ５）を取り付け、カーテン（Ｘ５）の右端に取り付けた面接着テープ（ｍ２）には相対する面接着テープ（ｍ１）が、また接続片（Ｋ２）には、相対する接続片（Ｋ１）が取り付けられ、カーテン（Ｘ６）の左端に取り付けた面接着テープ（ｍ５）には相対する面接着テープ（ｍ６）が、接続片（Ｋ５）には相対する接続片（Ｋ６）がそれぞれ取り付けられ、これらの接続片（Ｋ１）〜（Ｋ６）は一方が磁石片で、もう一方は磁石式スイッチと発信機の組み合わせとし、接触した磁石が離れ端子相互が離れると断線状態となり発信する構成とし、発信した信号を離れて設けた受信音源装置（Ｔ１）が受信して、それに取り付けたスピーカー（Ｐ）より警報を発する無線式の構成としたことを特徴とする防犯警報装置を設けたことを特徴とする防犯用カーテン。
【請求項５】
接続片（Ｋ１），（Ｋ６）、面接着テープ（ｍ１），（ｍ６）は、絶縁性のプラスチック板に取り付けられていることを特徴とする請求項４に記載の防犯用カーテン。
【請求項６】
カーテン（Ｘｎ）の接続片に相対する接続片を、カーテン（Ｘｎ）の左端の窓枠部分に取り付けることを特徴とする請求項１ないし請求項５記載の防犯用カーテン。
【請求項７】
請求項１ないし請求項６のいずれかに記載の防犯カーテン用防犯警報装置。
【考案の詳細な説明】
【技術分野】
【０００１】  この考案は、防犯用カーテンに関するものである。
【背景技術】
【０００２】  家屋などの窓はその出入り口に次いで室内防犯の要所であり、それらの戸の鍵については種々のタイプが開発されているが、そこにあるカーテンについては防犯上とくに対策がなく、実用化もされていない現状にあると思われる。一方、一般に防犯ブザーは広く用いられており、これはそのスイッチのピンが外れるとスイッチがオンとなり、ブザーが鳴るという仕組みのものである。
【考案の開示】
【考案が解決しようとする課題】
【０００３】  この考案は、窓のカーテンに防犯警報装置を取り付けた防犯用カーテンを得ることを目的とする。
【課題を解決するための手段】
【０００４】  カーテンに防犯警報機能を有する防犯警報装置を取り付けたことを特徴とする防犯用カーテンの構成とする。
【考案の効果】
【０００５】  この考案の防犯用カーテンは、カーテンを閉じた状態のとき、カーテンの一部が開くとそれを検知して防犯警報装置の警報機能が作動し警報を発することにより、家屋、室内などの防犯の態勢をさらに高めることができる。
【考案を実施するための最良の形態】
【０００６】  カーテンに防犯警報機能を有する防犯警報装置を取り付けたことを特徴とする防犯用カーテンの構成とし、複数枚のカーテンに、それぞれの両側の上下二個所に接続片または面接着テープなどを取り付け、これらの接続片または面接着テープなどには、もう一方の接続片または面接着テープなどがそれぞれ相対しており、接続片または面接着テープなどは相互に近づけると接触して通電し、引き離すと電流が遮断されるように構成され、断線検知装置は音源装置を通してスピーカーに接続され、電流が流れた状態において、接続している各接続片または面接着テープなどの一個所において、電流が遮断されると、断線検知装置が作動して音源装置が働き、スピーカーから警報音が出るようにした防犯警報装置を取り付けた防犯用カーテンの構成とする。
【実施例１】
【０００７】  図１に示すように閉じられたカーテン（Ｘ１），（Ｘ２）には、それぞれの両側の上下二個所に接続片（Ａ１），（Ｂ１）と接続片（Ａ２），（Ｂ２）、および接続片（Ａ３），（Ｂ３）と接続片（Ａ４），（Ｂ４）が取り付けられており、それらの接続片（Ａ１）と接続片（Ａ２）、接続片（Ｂ１）と接続片（Ｂ２）は、それぞれ電線（ｅ）によって接続されている。また一方の接続片（Ａ３）と接続片（Ａ４）、および接続片（Ｂ３）と接続片（Ｂ４）も同様に、それぞれ電線（ｅ）によって接続されている。そして接続片（Ａ２），（Ｂ２）にはそれぞれ接続片（Ａ３），（Ｂ３）が相対しており、接続片（Ａ１），（Ｂ１）には接続片（Ｙ１），（Ｙ２）が、接続片（Ａ４），（Ｂ４）には接続片（Ｚ１），（Ｚ２）がそれぞれ相対しており、これら相対する各接続片は、一方が磁石片で他方が鉄片の組み合わせで構成され、相互に近づけると吸着して通電し、引き離すと電流が遮断されるようになっている。【０００８】  そして接続片（Ｙ１），（Ｙ２）は断線検知装置（Ｒ）に接続され、接続片（Ｚ１），（Ｚ２）は相互に電線（ｅ’）によって接続されている。さらに断線検知装置（Ｒ）は音源装置（Ｔ）を通してスピーカー（Ｐ）に接続されている。なお音源装置（Ｔ）には、電源に繋いだＡＣアダプター（Ｄ）よりＤＣ６Ｖの電流が流れる構成となっている。電気が流れた状態において、接続している各接続片の一個所において、それが引き離され、電流が遮断されると、断線検知装置（Ｒ）が作動して音源装置（Ｔ）が働き、スピーカー（Ｐ）から警報音が出る。【０００９】  図２はカーテン（Ｘ２）の左端部に取り付けられる接続片（Ａ４），（Ｂ４）に相対する接続片（Ｚ１），（Ｚ２）を拡大して示すもので、これらの接続片（Ｚ１），（Ｚ２）は絶縁性のプラスチック板（Ｗ１）に約２５ｃｍの間隔で取り付けられており、前述のように電線（ｅ’）によって接続されている。そして図示しない窓枠部分に接着剤などで背面が接着固定される。接続片（Ｚ１），（Ｚ２）に相対するカーテン（Ｘ２）の左端に取り付けられる接続片（Ａ４），（Ｂ４）の間隔は、これに合わせてそれらが容易に接着可能な位置に取り付ける。【００１０】  図３はカーテン（Ｘ１）の右端部に取り付けられる接続片（Ａ１），（Ｂ１）に相対する接続片（Ｙ１），（Ｙ２）を拡大して示すもので、これらの接続片（Ｙ１），（Ｙ２）は絶縁性のプラスチック板（Ｗ２）に約２５ｃｍの間隔で取り付けられており、この接続片（Ｙ１），（Ｙ２）は電線（ｅ”）によってそれぞれ断線検知装置（Ｒ）に接続されている。そしてこの絶縁性のプラスチック板（Ｗ２）は図示しない窓枠部分に接着剤などによって背面が接着固定される。なお前述と同様に接続片（Ｙ１），（Ｙ２）は、絶縁性のプラスチック板（Ｗ２）に約２５ｃｍの間隔で取り付けられているので、カーテン（Ｘ１）の右端部に取り付けられる接続片（Ａ１），（Ｂ１）は、これら相対する接続片（Ｙ１），（Ｙ２）に容易に接着可能な位置に同様の間隔で取り付けるものとする。【００１１】  さらにカーテンを増設したい場合は、カーテン（Ｘ２）の接続片（Ａ４），（Ｂ４）に相対して増設するカーテンの位置に接続片を取り付け、前��同様の構成としてこの防犯装置を作動させることができる。その場合、接続片（Ｚ１），（Ｚ２）は最後のカーテン（Ｘｎ）［図示せず］の左側端部に取り付けた接続片に相対して、その左端の窓枠部分に取り付けることとなる。なお各接続片のカーテンへの取り付け高さなどは、防犯の効果を考慮して位置決めするものとする。
【実施例２】
【００１２】  図４において、カーテン（Ｘ３），（Ｘ４）のそれぞれの両側に、電線（ｅ）によって接続された鉄片（Ａ５），（Ａ６）と鉄片（Ｂ５），（Ｂ６）、および鉄片（Ａ７），（Ａ８）と鉄片（Ｂ７），（Ｂ８）［いずれも鉄片のみ］が上下に取り付けられており、さらにこれらの間にそれぞれ面接着テープ［通称マジックテープ：登録商標］（ｍ２），（ｍ３）と、面接着テープ（ｍ４），（ｍ５）が取り付けられており、中央部の面接着テープ（ｍ３），（ｍ４）を接合すると、鉄片（Ａ６），（Ａ７）および鉄片（Ｂ６），（Ｂ７）がそれぞれ接触して通電する。そしてカーテン（Ｘ３）の右端に取り付けた接続片（Ａ５），（Ｂ５）には、相対する鉄製の接続片（Ｙ３），（Ｙ４）を取り付け、カーテン（Ｘ４）の左端の接続片（Ａ８），（Ｂ８）には、相対する鉄製の接続片（Ｚ３），（Ｚ４）を取り付け、またこれら接続片の間には面接着テープ（ｍ２）には面接着テープ（ｍ１）が、面接着テープ（ｍ５）には面接着テープ（ｍ６）がそれぞれ相対して取り付けられており、これらの相対する面接着片を接合すると、鉄片（Ａ５），（Ｙ３）および鉄片（Ｂ５），（Ｙ４）、さらに鉄片（Ａ８），（Ｚ３）および鉄片（Ｂ８），（Ｚ４）が接触して通電し、これらの面接着テープを引き離すと鉄片も引き離され断線状態となる構成とする。【００１３】  なお接続片（Ｙ３），（Ｙ４）は電線（ｅ”）によって断線検知装置（Ｒ）を経由して音源装置（Ｔ）に接続されている。また接続片（Ｚ３），（Ｚ４）も電線（ｅ’）によって接続されている。図５はカーテン（Ｘ３），（Ｘ４）の左端および右端の接続片および面接着テープを取り付けたプラスチック板（ｗ３），（ｗ４）の部分を拡大して示すもので、それぞれ図示しない窓枠部分に接着剤などで背面が接着固定されるものである。図６はカーテン（Ｘ３），（Ｘ４）の中央の相対する部分に取り付けた接続片（Ａ６），（Ａ７）と接続片（Ｂ６），（Ｂ７）および面接着テープ（ｍ３），（ｍ４）の取り付けた状態を拡大して示す。
【実施例３】
【００１４】  図７において示すのは無線式で、カーテン（Ｘ５），（Ｘ６）の両側に、それぞれ面接着テープ（ｍ２），（ｍ３）と、面接着テープ（ｍ４），（ｍ５）を取り付け、その下方に接続片（Ｋ２），（Ｋ３）および接続片（Ｋ４），（Ｋ５）を取り付け、カーテン（Ｘ５）の右端に取り付けた面接着テープ（ｍ２）には相対する面接着テープ（ｍ１）が、また接続片（Ｋ２）には、相対する接続片（Ｋ１）が取り付けられている。さらにまたカーテン（Ｘ６）の左端に取り付けた面接着テープ（ｍ５）には相対する面接着テープ（ｍ６）が、接続片（Ｋ５）には相対する接続片（Ｋ６）がそれぞれ取り付けられている。そこでこれらの接続片（Ｋ１）〜（Ｋ６）は一方が磁石片で、もう一方は磁石式スイッチと発信機の組み合わせとし、磁石式スイッチは磁石を近づけると内部の端子が接触し、磁石が離れると端子相互が離れる構成であり、この磁石式スイッチには発信機とボタン電池がいっしょに組み込まれていて作動するもので、磁石片が離れ端子相互が離れると断線状態となり発信する構成である。さらにその発信した信号を、離隔して設けた受信音源装置（Ｔ１）が受信して、それに一体的に取り付けたスピーカー（Ｐ）より警報を発する構成である。なお受信音源装置（Ｔ１）には電源よりＡＣアダプター（Ｄ）によってＤＣ６Ｖの電流が流れるようになっている。【００１５】  図８は、カーテン（Ｘ６），（Ｘ５）の両側に、それぞれ取り付けらた面接着テープ（ｍ５）、接続片（Ｋ５）に相対する面接着テープ（ｍ６）、接続片（Ｋ６）、および面接着テープ（ｍ２）、接続片（Ｋ２）に相対する面接着テープ（ｍ１）、接続片（Ｋ１）をそれぞれ取り付けたプラスチック板（ｗ５），（ｗ６）部分［図７参照］を拡大して示し、それぞれ図示しない窓枠部分に接着剤などで背面が固定されるものである。
【産業上の利用可能性】
【００１６】  この考案の防犯用カーテンは、防犯警報装置の作動によって、カーテンを閉じた状態のとき、カーテンの一部が開くとそれを検知して警報装置の機能が作動し警報を発することにより、防犯の態勢をさらに高めることができるので、最近、多発する家屋などの侵入の防犯上の対策としておおいに寄与することができる。なお各接続片、面接着テープなどはカーテンを閉じた状態を保持するにも役立つものである。
【図面の簡単な説明】
【００１７】
【図１】  この考案の防犯カーテンの実施例の概略図。
【図２】  図１の防犯カーテンの実施例の要部の概略図。
【図３】  図１の防犯カーテンの実施例の要部の概略図。
【図４】  この考案の防犯カーテンの他の実施例の概略図。
【図５】  図４の防犯カーテンの実施例の要部の概略図。
【図６】  図４の防犯カーテンの実施例の要部の概略図。
【図７】  この考案の防犯カーテンのさらに他の実施例の要部の概略図。
【図８】  図７の防犯カーテンの実施例の要部の概略図。
【符号の説明】
【００１８】（Ｘ１）〜（Ｘ６）カーテン
（Ａ１）〜（Ａ６）、（Ｂ１）〜（Ｂ６）、（Ｋ１）〜（Ｋ６）、（Ｙ１）〜（Ｙ４）、（Ｚ１）〜（Ｚ４）接続片
（Ｒ）断線検知装置
（ｅ），（ｅ’），（ｅ”）電線
（Ｔ）音源装置
（Ｐ）スピーカー
（Ｔ１）受信音源装置
（Ｗ１）〜（Ｗ６）プラスチック板
（ｍ１）〜（ｍ６）面接着テープ
【図１】
0003117882.tif 000003
【図２】
0003117882.tif 000004
【図３】
0003117882.tif 000005
【図４】
0003117882.tif 000006
【図５】
0003117882.tif 000007
【図６】
0003117882.tif 000008
【図７】
0003117882.tif 000009
【図８】
0003117882.tif 000010